(57)【特許請求の範囲】
【請求項１】
薄板状に形成された焼結フェライト板の少なくとも一方の表面に、保護フィルム、粘着層または放熱シートが貼着されたフェライト基板において、
上記焼結フェライト板は、表面上を第１の方向に延びるとともに厚さ方向に貫通する裁断部が当該第１の方向に不連続に形成されたミシン目状の第１の裁断線を、上記第１の方向と直交する方向に間隔をおいて複数本形成し、かつ上記第１の方向と交差する第２の方向に延びるとともに厚さ方向に貫通する裁断部が当該第２の方向に不連続に形成されたミシン目状の第２の裁断線を、上記第２の方向と直交する方向に間隔をおいて複数本形成するとともに、上記第１および第２の裁断線を、全ての上記裁断部において互いに交差させることにより、上記第１の裁断線および上記第２の裁断線において分割可能とされていることを特徴とするフェライト基板。
【発明の詳細な説明】
【技術分野】
【０００１】
本発明は、電子機器のＥＭＩ対策用や放熱対策用等として、当該電子機器等に貼着されるフェライト基板に関するものである。
【背景技術】
【０００２】
近年、ＲＦ−ＩＤの金属干渉抑制、電子機器のＥＭＩ対策用あるいは放熱対策用等として、高透磁率を有するフェライト焼結体を用いた基板を、当該ＲＦ-ＩＤや電子機器に貼着する構造が採用されつつある。
【０００３】
ところで、この種の基板に用いられるフェライト焼結体は、高透磁率化によって高いノイズ対策性能を有するものの、弾性係数が小さいために、機械的応力や衝撃に対して脆弱であるという欠点を有している。このため、薄板状のフェライト焼結体を、そのまま凹凸を有する上記電子機器等に貼着すると、不規則な欠けや割れを生じて磁気特性（透磁率）の悪化を招き、この結果、所望のノイズ対策性能等が得られなくなるおそれがある。
【０００４】
そこで、従来は、上記フェライト焼結体を、予め規則的な小片に分割して、全体としての可撓性を高めた状態で、上記電気機器等の貼着する方法が採られている。この方法は、例えば下記特許文献１に見られるように、フェライト焼結体の製造時に、その表面に所定の深さの溝加工（ハーフカット加工）を施しておき、当該フェライト焼結体の表面に保護フィルムあるいは粘着層を形成した後に、上記溝に沿って分割して可撓性を有する上記フェライト基板とするものである。
【０００５】
ちなみに、上記フェライト焼結体に溝を加工する方法としては、焼結後のフェライト板に、ダイシングソー等によって加工する方法や、焼結前のフェライトグリーンシートに、裁断機等で凹溝を加工して焼結される方法等が採用されている。
【先行技術文献】
【特許文献】
【０００６】
【特許文献１】特許第４２７７５９６号公報
【発明の概要】
【発明が解決しようとする課題】
【０００７】
ところが、予めフェライト焼結体に溝加工を行った上記従来のフェライト基板にあっては、フェライト焼結体が厚さ寸法の異なる部分を有する場合には、各部分に応じて、切断機による溝加工深さを個別に設定する必要があり、よって当該作業に手間を要するという問題点があった。
【０００８】
しかも、特に１００μｍ以下の薄いフェライト焼結体あるはそのグリーンシートに対して上記溝加工を行う場合には、上記厚さ寸法の１／２以下の深さの溝を加工することになるために、精度の高い溝加工が要求されるという問題点を生じる。加えて、切断刃の平行度が僅かでも異なると、溝の深さに相違が生じ、この結果分割時に上記溝部以外の箇所に割れが進行したり、あるいはグリーンシートにおいて上記溝加工を行った場合には、焼結時に割れが生じてしまうという問題点もあった。
【０００９】
本発明は、かかる事情に鑑みてなされたものであり、フェライト焼結体が、部分的に厚さ寸法が異なる場合や１００μｍ以下の薄肉である場合にも、簡易な加工によって容易に対応することができ、よって分割後に安定した特性を得ることができるフェライト基板を提供することを課題とするものである。
【課題を解決するための手段】
【００１０】
上記課題を解決するため、請求項１に記載の発明は、薄板状に形成された焼結フェライト板の少なくとも一方の表面に、保護フィルム、粘着層または放熱シートが貼着されたフェライト基板において、上記焼結フェライト板は、表面上を第１の方向に延びるとともに厚さ方向に貫通する裁断部が当該第１の方向に不連続に形成されたミシン目状の第１の裁断線を、上記第１の方向と直交する方向に間隔をおいて複数本形成し、かつ上記第１の方向と交差する第２の方向に延びるとともに厚さ方向に貫通する裁断部が当該第２の方向に不連続に形成されたミシン目状の第２の裁断線を、上記第２の方向と直交する方向に間隔をおいて複数本形成するとともに、上記第１および第２の裁断線を、全ての上記裁断部において互いに交差させることにより、上記第１の裁断線および上記第２の裁断線において分割可能とされていることを特徴とするものである。
【発明の効果】
【００１３】
請求項１に記載の発明によれば、焼結フェライト板に、厚さ方向に貫通する裁断部が不連続に形成された複数本の第１および第２の裁断線を、互いに交差する方向に形成しているために、上記焼結フェライト板の表面に保護フィルム等を貼着した後に、上記第１および第２の裁断線において分割することにより、当該フェライト基板に可撓性を付与することができる。
【００１４】
この際に、上記第１および第２の裁断線は、厚さ寸法に貫通する不連続な裁断部によって形成されているために、上記フェライト焼結体が、部分的に厚さ寸法が異なる場合や１００μｍ以下の薄肉である場合にも、簡易な加工によって上記第１および第２の裁断線における裁断部を形成することができる。しかも、確実に上記第１および第２の裁断線に沿って分割することができるために、分割後に安定した特性を得ることができる。
【００１５】
特に、第１および第２の裁断線を形成するに際して、厚さ方向に貫通する全ての裁断部において互いに交差させているために、一層確実に上記第１および第２の裁断線に沿って分割することができる。
【図面の簡単な説明】
【００１７】
【図１】本発明に係るフェライト基板の一実施形態における焼結フェライト板を示す平面図である。
【図２】本発明の一実施形態を示すもので図１のＡ−Ａ線視断面相当図である。
【図３】図１のフェライト基板の裁断部を加工する状態を示す正面図である。
【図４】本発明に係るフェライト基板の他の実施形態における裁断部を加工する状態を示す正面図である。
【図５】上記実施形態の変形例を示す図２相当図である。
【図６】上記実施形態の他の変形例を示す図２相当図である。
【発明を実施するための形態】
【００１８】
図１および図２は、本発明に係るフェライト基板の一実施形態を示すもので、図中符号１が焼結フェライト板である。
この焼結フェライト板１は、厚さ寸法が５０μｍ〜１．０ｍｍの長方形の薄板状（シート状）に形成されたもので、その一方の表面には、粘着層２が形成されるとともに、他方の表面には、保護フィルム３が貼着されることにより、このフェライト基板が構成されている。
【００１９】
そして、このフェライト基板においては、焼結フェライト板１の長辺方向をＸ方向（第１の方向）、短辺方向をＹ方向（第２の方向）とした時に、当該焼結フェライト板１に、Ｘ方向に延在する複数本（図では４本）のＸ方向裁断線（第１の裁断線）４が、Ｙ方向に等間隔をおいて形成されている。また、この焼結フェライト板１には、Ｙ方向に延在する複数本（図では６本）のＹ方向裁断線（第２の裁断線）５が、Ｘ方向に等間隔をおいて形成されている。
【００２０】
ここで、Ｘ方向裁断線４は、Ｘ方向に延びるとともに厚さ方向に貫通する裁断部４ａがＸ方向に不連続に形成されたミシン目状のものであり、他方Ｙ方向裁断線５は、Ｙ方向に延びるとともに厚さ方向に貫通する裁断部５ａがＹ方向に不連続に形成されたミシン目状のものである。そして、これら複数本のＸ方向裁断線４およびＹ方向裁断線５は、裁断部４ａ、５ａが互いの中央において直交するようにして、全体として格子状に形成されている。
【００２１】
上記構成からなるフェライト基板において、上記Ｘ方向裁断線４およびＹ方向裁断線５が形成された薄板状の焼結フェライト板１を製造するには、先ずフェライト粉末と有機バインダとを混練してフェライトペーストとし、これをドクターブレード法、押出成形機等のシート成形機によって所定の厚さのグリーンシートに成形する。
【００２２】
次いで、図３に示すように、このグリーンシート６に、先ず切断刃７を用いて複数本のＸ方向裁断線４を形成する。ここで、切断刃７は、等間隔ｂを間に介して幅寸法ａの複数（図では８本）の刃部７ａを有しており、当該刃部７ａの深さ寸法ｔがグリーンシート６の厚さ寸法よりも大きく形成されている。
【００２３】
そこで、上記切断刃７の刃部７ａを、グリーンシート６上の所定箇所に望ませて、そのまま下方に向けて移動させれば、複数本の刃部７ａによって、間隔ｂをおいた不連続な複数（図では８つ）の長さ寸法ａの裁断部４ａが同時に形成される。
そして、上記切断刃７を、Ｙ方向に所定寸法移動させて、順次Ｘ方向裁断線４を形成した後に、当該切断刃７の向きを直角方向に変えて、同様にして裁断部５ａを有するＹ方向裁断線５を形成して行く。この際に、切断刃７を、刃部７ａによって形成されるＹ方向の裁断部５ａが、先に形成したＸ方向の裁断部４の中央部において交差するように配置する。
【００２４】
このようにして、全てのＸ方向裁断線４およびＹ方向裁断線５を形成した後に、当該グリーンシート６を焼結して焼結フェライト板１とし、次いでその一方の表面１ａに粘着層２を形成し、他方の表面１ｂに保護フィルム３を貼着することにより、上記フェライト基板が得られる。ちなみに、上記構成からなるフェライト基板は、ＲＦ-ＩＤの金属干渉抑制用や電子機器のＥＭＩ対策用として好適である。
【００２５】
このように、上記構成からなるフェライト基板によれば、焼結フェライト板１に、厚さ方向に貫通する裁断部４ａ、５ａが不連続に形成された複数本のＸ方向およびＹ方向裁断線４、５を、互いに直交する方向に形成しているために、焼結フェライト板１の表面に粘着層２および保護フィルム３を貼着した後に、Ｘ方向およびＹ方向裁断線４、５に沿って分割することにより、フェライト基板に可撓性を付与することができる。
【００２６】
この際に、Ｘ方向およびＹ方向裁断線４、５は、厚さ寸法に貫通する不連続な裁断部４ａ、５ａによって形成されているために、フェライト焼結体１が、部分的に厚さ寸法が異なる場合や１００μｍ以下の薄肉である場合にも、従来のように切断刃の平行度等を考慮することなく、図３に示したように、単に切断刃７を当該フェライト焼結体１のグリーンシート６に押し付けるといった簡易な加工によって、上記裁断部４ａ、５ａを形成することができる。
【００２７】
しかも、Ｘ方向およびＹ方向裁断線４、５を形成するに際して、裁断部４ａ、５ａが互いの中央において直交するように形成しているために、確実にフェライト焼結体１を、Ｘ方向およびＹ方向裁断線４、５に沿って分割することができ、よって分割後に安定した特性を得ることができる。
【００２８】
また、図４は、本発明に係るフェライト基板の他の実施形態において、そのＸ方向裁断線８を加工する状態を示すものである。
図４に示すように、このフェライト基板においては、その焼結フェライト板を得るためのグリーンシート６に対して、切断刃９によって上記Ｘ方向裁断線８およびこれと直交する図示されないＹ方向切断線が形成されている。
【００２９】
この切断刃９は、等間隔ｂを間に介して幅寸法ａの複数（図では８本）の刃部９ａを有しており、図３に示したものと相違する点は、刃部９ａの深さ寸法ｔがグリーンシート６の厚さ寸法よりも小さい（図では、約１／２）に形成されていることにある。
【００３０】
この結果、上記切断刃９の刃部９ａを、グリーンシート６上の所定箇所に望ませて、そのまま下方に向けて移動させると、複数本の刃部８ａが厚さ方向に貫通することにより、間隔ｂをおいた不連続な複数（図では８つ）の長さ寸法ａの裁断部８ａが同時に形成される。さらに、これら厚さ方向に貫通する裁断部８ａ間には、グリーンシート６の下面から厚さｔだけ残した深さ寸法の溝部８ｂが形成されている。
【００３１】
なお、上記実施形態においては、本発明を、焼結フェライト板１の一方の表面に粘着層２が形成されるとともに、他方の表面１ｂに保護フィルム３が貼着されたフェライト基板に適用した場合についてのみ説明したが、これに限定されるものではなく、例えば図５に示すように、焼結フェライト板１の両面に保護フィルム３が貼着され、ＲＦ-ＩＤの金属干渉抑制用や電子機器のＥＭＩ対策用として、別途両面テープ等により上記電子機器等に取り付けられるフェライト基板にも同様に適用することが可能である。
【００３２】
さらに、図６に示すように、焼結フェライト板１の両面に、放熱シート１０を貼着したフェライト基板としても用いることができる。
このフェライト基板は、電子機器のＥＭＩ対策用およびＣＰＵやＬＳＩから発生する熱を放熱するための電磁波抑制放熱シートとして好適に用いることができる。
【００３３】
ここで、放熱シート１０の材質としては、熱伝導率が高く、かつゴム硬度が低くて熱抵抗を抑制し得るシリコーンが好ましく、さらにはシート全体の透磁率をより一層高めるために、シリコーンにフェライト粉末を充填したフェライト粉充填シリコーンがより好適である。
【００３４】
なお、上記実施形態においては、Ｘ方向裁断線４、８やＹ方向裁断線５の裁断部４ａ、５ａ、８ａを、切断刃７、９によって形成した場合について説明したが、これに限らず、例えば、ローラーの表面にＸ方向裁断線４、８やＹ方向裁断線５の裁断部４ａ、５ａ、８ａに対応した刃部を備えたローラーカッター等によって形成することも可能である。
【００３５】
さらに、上記実施形態においては、Ｘ方向裁断線４とＹ方向裁断線５とを、互いの厚さ方向に貫通する裁断部４ａ、５ａの中央同士において直交させた場合について示したが、これら裁断部４ａ、５ａを交差させずに、Ｘ方向裁断線４とＹ方向裁断線５とによって全体的に格子状を形成するようにしてもよい。
また、Ｘ方向裁断線４とＹ方向裁断線５とを、直交する格子状に限らず、菱形状の格子状に交差させてもよい。
【産業上の利用可能性】
【００３６】
電子機器のEMI対策用や放熱対策用等として、当該電子機器等に貼着されるフェライト基板として利用可能である。
【符号の説明】
【００３７】
１  焼結フェライト板
２  粘着層
３  保護フィルム
４、８  Ｘ方向裁断線（第１の裁断線）
５  Ｙ方向裁断線（第２の裁断線）
４ａ、５ａ、８ａ  裁断部
【図１】
0005609225.tif 000002
【図２】
0005609225.tif 000003
【図３】
0005609225.tif 000004
【図４】
0005609225.tif 000005
【図５】
0005609225.tif 000006
【図６】
0005609225.tif 000007